(57)【要約】【課題】  配管損失や気相トラップの増大、測定遅れ等の問題を生じることなく、小形・軽量で小試料水量仕様の新形水質装置を採用できる検水供給装置を提供すること。【解決手段】  脱気槽３から、脱気された試料水を水質装置の検出器へ自然流下させる検水供給配管１１ａを備え、検水供給配管１１ａから検出器５２ａに供給される試料水の一部を分流し、排出側に流す配管７によるバイパス経路を設けた検水供給装置。【選択図】図１
2006267030.tif 000002
【特許請求の範囲】
【請求項１】
脱気槽から、脱気された試料水を水質装置の検出器へ自然流下させる検水供給配管を備えた検水供給装置であって、
前記検水供給配管から前記検出器に供給される試料水の一部を分流し、排出側に流すバイパス手段を設けた
ことを特徴とする検水供給装置。
【請求項２】
バイパス手段として、
前記検出器の入口側と出口側にそれぞれ三方弁を設け、前記検水供給配管と前記検出器の入口との間に入口側三方弁の第１、第２の弁口を連結すると共に、この検出器の出口側に出口側三方弁の第１、第２の弁口を連結した排出管を設け、
これら入口側三方弁の第３の弁口と出口側の三方弁の第３の弁口とを相互に連結してバイパス経路を形成し、
前記検水供給配管から供給される試料水の一部を前記バイパス経路により排出側の三方弁を通して排出させることを特徴とする請求項１に記載の検水供給装置。
【請求項３】
水質装置の検出器は、小試料水量仕様であり、脱気槽に対する検出器の入口高さを、大使用水量仕様の入口高さより低く設置したことを特徴とする請求項２に記載の検水供給装置。
【請求項４】
バイパス手段として、
検出器の入口と検水供給配管との間に三方弁の第１、第２の弁口を連結し、
脱気槽から、脱気された試料水以外の水を排出させるための排出用配管の途中にエジェクタを設け、
前記三方弁の第３の弁口と前記エジェクタの負圧口とを相互に連結してバイパス経路を形成し、
前記検水供給配管から供給される試料水の一部を前記バイパス経路により前記排出用配管に流すことを特徴とする請求項１に記載の検水供給装置。
【請求項５】
脱気槽から脱気された試料水を、水質装置の、小試料水量仕様の検出器及び大試料水量仕様の検出器へ、個別に設けた検水供給配管で自然流下によりそれぞれ供給する検水供給装置であって、
前記検水供給配管から前記小試料水量仕様の検出器に供給される試料水の一部を分流して、前記大試料水量仕様の検出器に流すバイパス手段を設けた
ことを特徴とする検水供給装置。
【請求項６】
バイパス手段として
小試料水量仕様の検出器の入口と、対応する検水供給配管との間に三方弁の第１、第２の弁口を連結すると共に、大試料水量仕様の検出器の入口と、対応する検水供給配管との間に三方弁の第１、第２の弁口を連結し、
これら小試料水量仕様側の三方弁の第３の弁口と大試料水量仕様側の三方弁の第３の弁口とを相互に連結してバイパス経路を形成し、
前記小試料水量仕様の検出器へ、対応する検水供給配管から供給される試料水の一部を、前記バイパス経路により大試料水量仕様側の三方弁を通して大試料水量仕様の検出器へ流すことを特徴とする請求項５に記載の検水供給装置。
【請求項７】
脱気槽から脱気された試料水を、水質装置の、小試料水量仕様の検出器及び大試料水量仕様の検出器へ、個別に設けた検水供給配管で自然流下によりそれぞれ供給する検水供給装置であって、
前記検水供給配管から前記小試料水量仕様の検出器に供給される試料水の一部を分流して、前記大試料水量仕様の検出器に流すと共に、排出側にも流すバイパス手段を設けた
ことを特徴とする検水供給装置。
【請求項８】
バイパス手段として
小試料水量仕様の検出器の入口と、対応する検水供給配管との間に四方弁の第１、第２の弁口を連結すると共に、この検出器の出口側に三方弁の第１、第２の弁口を連結した排出管を設け、
大試料水量仕様の検出器の入口と、対応する検水供給配管との間に入口側三方弁の第１、第２の弁口を連結し、
前記四方弁の第３の弁口と前記入口側三方弁の第３の弁口とを相互に連結して第１のバイパス経路を形成すると共に、前記四方弁の第４の弁口と前記出口側の三方弁の第３の弁口とを相互に連結して第２のバイパス経路を形成し、
前記小試料水量仕様の検出器へ、対応する検水供給配管から供給される試料水の一部を、前記第１のバイパス経路により前記入口側三方弁を通して大試料水量仕様の検出器へ流すと共に、前記第２のバイパス経路により出口側の三方弁を通して排出させることを特徴とする請求項７に記載の検水供給装置。
【請求項９】
バイパス手段として、
小試料水量仕様の検出器の入口と、対応する検水供給配管との間に四方弁の第１、第２の弁口を連結すると共に、前記大試料水量仕様の検出器の入口と、対応する検水供給配管との間に三方弁の第１、第２の弁口を連結し、
脱気槽から、脱気された試料水以外の水を排出させるための排出用配管の途中にエジェクタを設け、
前記四方弁の第３の弁口と前記三方弁の第３の弁口とを相互に連結して第１のバイパス経路を形成すると共に、四方弁の第４の弁口と前記エジェクタの負圧口とを相互に連結して第２のバイパス経路を形成し、
前記小試料水量仕様の検出器へ、対応する検水供給配管から供給される試料水の一部を、前記第１のバイパス経路により前記三方弁を通して大試料水量仕様の検出器へ流すと共に、前記第２のバイパス経路により排出用配管に流すことを特徴とする請求項７に記載の検水供給装置。
【発明の詳細な説明】
【技術分野】
【０００１】
本発明は、主に上・下水処理場等に据付・運用される自然流下式の水質計装装置の水質検出部に、被測定対象の検水（試料水）を供給する検水供給装置に関する。
【背景技術】
【０００２】
一般に、上・下水処理場等では、原水、ろ過水、浄水、雨水、汚水等について、ｐＨ、濁度などの水質の検出・測定・記録が行われている。このため、水質装置室等に集中設置された脱泡槽と水質装置間に、配管・継ぎ手・弁等から構成される検水供給装置が設けられ、それに関する提案も行なわれている（例えば、特許文献１参照）。
【０００３】
このような検水供給装置では、水質測定の対象となる原水・ろ過水・浄水・雨水・汚水等は、それらを収集・生成・保管する槽・池等の現場から、検水ポンプ等により、配管を介して、水質装置室等に設置された流量調整弁を介して、脱泡槽（脱気槽）へ圧送される。脱泡された試料水は、検水供給配管の始端側に設けられた供給調整弁の開操作により、検水供給配管を自然流下する。そして、検水供給配管と水質装置の入口部分との間に設けられた流量調整弁の開操作により、水質装置の検出器へ供給される。検出器にて水質検出後は、水質装置の出口側に設けられた排出弁から排水槽等へ回収される。
【０００４】
なお、水質装置の検出器による検出値は、測定者等が判読しやすい高さに取付られた表示部に、指針の振れ又は数値にて外部表示等される。
【０００５】
脱泡槽では、内部に越流堰を設けるなどして、ポンプにより圧送されてきた試料水に混入している気相（泡など）を十分に分離させ、水質装置の検出器に気相が流れ込まないようにしている。
【０００６】
ここで、試料水を槽・池等の現場から脱泡槽に送る検水ポンプの吐出容量及び流速等は、上記現場からの配管長に見合った損失増大と配管内径汚れの影響とを考慮して、大きめに選択されている。このため、脱泡槽内にて気相分と共に越流堰をオーバーフローする水量は多量となり、排水弁を介して排出用配管に流れる排水量も多量となる。この排水は、水質装置から排出される検出済の試料水と共に排水槽等へ回収される。
【０００７】
また、配管の配置、特に、横方向の配置は、自然流下のため、脱泡槽から水質装置に向けて、下げ勾配となるように考慮する。自然流下の源は、脱泡槽の水位（一般には、越流堰の上端）と水質装置側検出器の排出高さの差であり、供給調整弁と水質装置の流量調整弁の開閉量により、供給量を調整する。
【０００８】
このような水質検出装置では、目視などによる日常点検及び定期点検（測定休止して水質装置全体の詳細調査・検査を行う）により、測定異常の早期摘出、測定精度・信頼性の確保が行われており、既設装置が老朽化した場合、装置の代替更新が行われる。また、関連法令等の改定に伴う水質検出項目の増補、検出精度の厳格化などに対し、原理構成を新しくした、小形・高精度・省力などを特徴とする新形水質計装装置が採用される機会が増える傾向にある。
【０００９】
例えば、ろ過水等の水質の一つである、濁度は０．１度級の管理が必要とされるようなり、原水等の濁度５０〜１０度級の管理に比べて桁違いの高精度仕様となる。このため、従来の散乱光式に代えて、レーザ光等を応用した新形装置の採用が増えている。また、検査項目によっては、従来型の装置も必要となる。したがって、新形と旧型の水質装置が混在することとなる。
【００１０】
新形レーザ光濁度装置の性能の特徴の一つとして、サンプリング水量が少なくて済む、というより、性能上、少量の維持が必要となっていることが挙げられる。また、新形水質装置は、小形・軽量・デジタル表示等により、旧型・従来品を据付けていたスペース内に、容易に据付可能な場合が多い。しかし、脱泡槽と水質装置間の検水供給用の既設配管類は、耐久性が高く、他の水質装置用の配管類と支持材の共有、交差配置も多いため、合理的な判断のもと、配管類は新設せず、既設配管を流用することが多い。
【００１１】
ここで、検出用の試料水量が減少すると、旧型・従来品用の太い既設配管等を流用した場合、当該配管内の試料水の滞留時間が長くなり、水質測定の対象となる槽・池等の現場の原水・ろ過水・浄水・雨水・汚水等の水質をリアルタイムに検出・表示していないことになる。すなわち、いわゆる、測定遅れを起こすことになる。
【００１２】
一方、新形水質装置にあわせ、既設配管類を撤去・新設した更新を行うと、小試料水に合せた小径配管では、配管損失が増大し、内壁汚れによる抵抗の増加が懸念される。このため、配管について小径選択が制約される。
【００１３】
さらに、配管の横方向の配置については、前述のように、下げ勾配が考慮されるが、配管が長くなったり、横方向での左右への曲げ・継ぎ等が多くなると、試料水に混在・浸入した気相が、配管途中でトラップされやすく、試料水の使用量が低減してしまう。すなわち、流れがおそくなる程、気相を配管端まで巻き込んで流れ去る作用が低下し、トラップ量が増大すると共に、配管勾配の変化等によっては流れの停止にもなりかねない。
【特許文献１】特開平７−１２０３６２号公報
【発明の開示】
【発明が解決しようとする課題】
【００１４】
このように、新形の小試料水量仕様の検出器に対応させて検水供給配管を細くすると配管損失が増大し、内壁汚れによる抵抗の増加が懸念される。また、試料水の流れがおそくなり、気相のトラップ量が増大するという問題も生じた。また、太い配管を用いると、配管内における試料水の滞留時間が長くなり、いわゆる、測定遅れを起こして、現場の水質をリアルタイムに検出・表示していないことになる。
【００１５】
本発明の目的は、配管損失や気相トラップの増大、測定遅れ等の問題を生じることなく、小形・軽量で小試料水量仕様の新形水質装置を採用できる検水供給装置を提供することにある。
【課題を解決するための手段】
【００１６】
本発明の検水供給装置は、脱気槽から、脱気された試料水を水質装置の検出器へ自然流下させる検水供給配管を備えた検水供給装置であって、前記検水供給配管から前記検出器に供給される試料水の一部を分流し、排出側に流すバイパス手段を設けたことを特徴とする検水供給装置。
【００１７】
本発明では、バイパス手段として、前記検出器の入口側と出口側にそれぞれ三方弁を設け、前記検水供給配管と前記検出器の入口との間に入口側三方弁の第１、第２の弁口を連結すると共に、この検出器の出口側に出口側三方弁の第１、第２の弁口を連結した排出管を設け、これら入口側三方弁の第３の弁口と出口側の三方弁の第３の弁口とを相互に連結してバイパス経路を形成し、前記検水供給配管から供給される試料水の一部を前記バイパス経路により排出側の三方弁を通して排出させるとよい。
【００１８】
また、本発明では、水質装置の検出器は、小試料水量仕様であり、脱気槽に対する検出器の入口高さを、大使用水量仕様の入口高さより低く設置することができる。
【００１９】
さらに、本発明では、バイパス手段として、検出器の入口と検水供給配管との間に三方弁の第１、第２の弁口を連結し、脱気槽から、脱気された試料水以外の水を排出させるための排出用配管の途中にエジェクタを設け、前記三方弁の第３の弁口と前記エジェクタの負圧口とを相互に連結してバイパス経路を形成し、前記検水供給配管から供給される試料水の一部を前記バイパス経路により前記排出用配管に流すように構成してもよい。
【００２０】
また、本発明の検水供給装置は、脱気槽から脱気された試料水を、水質装置の、小試料水量仕様の検出器及び大試料水量仕様の検出器へ、個別に設けた検水供給配管で自然流下によりそれぞれ供給する検水供給装置であって、前記検水供給配管から前記小試料水量仕様の検出器に供給される試料水の一部を分流して、前記大試料水量仕様の検出器に流すバイパス手段を設けている。
【００２１】
本発明では、バイパス手段として、小試料水量仕様の検出器の入口と、対応する検水供給配管との間に三方弁の第１、第２の弁口を連結すると共に、大試料水量仕様の検出器の入口と、対応する検水供給配管との間に三方弁の第１、第２の弁口を連結し、これら小試料水量仕様側の三方弁の第３の弁口と大試料水量仕様側の三方弁の第３の弁口とを相互に連結してバイパス経路を形成し、前記小試料水量仕様の検出器へ、対応する検水供給配管から供給される試料水の一部を、前記バイパス経路により大試料水量仕様側の三方弁を通して大試料水量仕様の検出器へ流すとよい。
【００２２】
さらに、本発明の検水供給装置では、検水供給配管から小試料水量仕様の検出器に供給される試料水の一部を分流して、大試料水量仕様の検出器に流すと共に、排出側にも流すバイパス手段を設けている。
【００２３】
本発明では、バイパス手段として、小試料水量仕様の検出器の入口と、対応する検水供給配管との間に四方弁の第１、第２の弁口を連結すると共に、この検出器の出口側に三方弁の第１、第２の弁口を連結した排出管を設け、大試料水量仕様の検出器の入口と、対応する検水供給配管との間に入口側三方弁の第１、第２の弁口を連結し、前記四方弁の第３の弁口と前記入口側三方弁の第３の弁口とを相互に連結して第１のバイパス経路を形成すると共に、前記四方弁の第４の弁口と前記出口側の三方弁の第３の弁口とを相互に連結して第２のバイパス経路を形成し、前記小試料水量仕様の検出器へ、対応する検水供給配管から供給される試料水の一部を、前記第１のバイパス経路により前記入口側三方弁を通して大試料水量仕様の検出器へ流すと共に、前記第２のバイパス経路により出口側の三方弁を通して排出させている。
【００２４】
また、本発明では、バイパス手段として、小試料水量仕様の検出器の入口と、対応する検水供給配管との間に四方弁の第１、第２の弁口を連結すると共に、前記大試料水量仕様の検出器の入口と、対応する検水供給配管との間に三方弁の第１、第２の弁口を連結し、脱気槽から、脱気された試料水以外の水を排出させるための排出用配管の途中にエジェクタを設け、前記四方弁の第３の弁口と前記三方弁の第３の弁口とを相互に連結して第１のバイパス経路を形成すると共に、四方弁の第４の弁口と前記エジェクタの負圧口とを相互に連結して第２のバイパス経路を形成し、前記小試料水量仕様の検出器へ、対応する検水供給配管から供給される試料水の一部を、前記第１のバイパス経路により前記三方弁を通して大試料水量仕様の検出器へ流すと共に、前記第２のバイパス経路により排出用配管に流すようにしてもよい。
【発明の効果】
【００２５】
本発明によれば、水質レベルの適正・厳格化等に呼応して製品化された、小形・軽量・小試料水量仕様の新形水質装置の検出器を、既設の取付けスペースに取付け、既設配管を継続使用して、脱気槽から検出器へ試料水を、経済的・合理的に供給できる。また、小試料水量仕様の水質装置検出器へ流れ込む試料水を適正な少量に制御できると共に、脱気槽の供給調整弁から排水槽等への試料水の適正な流れを維持でき、試料水が小試料水量仕様の水質装置検出器の前方に滞留することなく、又、混入している気相のトラップを低減防止し、水質装置の検出信頼性を安定・維持できる。
【発明を実施するための最良の形態】
【００２６】
以下、本発明による検水供給装置の一実施の形態について図面を用いて詳細に説明する。
【００２７】
図１は、この実施の形態における検水供給装置の全体構成を示している。図１において、１は検水ポンプで、水質測定の対象となる原水・ろ過水・浄水・雨水・汚水等を、収集・生成・保管する図示しない槽・池等の現場から、配管により、水質装置室等に設置された流量調整弁２を介して、脱気槽３へ圧送する。脱気槽３は、その内部に越流堰３１を設けて、ポンプ１により圧送されてきた試料水に混入している泡などの気相を十分に分離させ、後述する供給調整弁２ａ、２ｂから水質装置の検出器５２ａ、５２ｂに気相が流れ込まないようにしている。
【００２８】
１１ａ、１１ｂはそれぞれ検水供給配管で、脱気槽３と水質装置の検出器５２ａ，５２ｂとの間に配管されており、脱気槽３において気相が分離された試料水を、自然流下により対応する検出器５２ａ，５２ｂに供給する。これら検水供給配管１１ａ、１１ｂの始端近くには供給調整弁２ａ、２ｂが設けられ、また、終端近くには流量調整弁４４ａ、４２ｂが設けられている。
【００２９】
ここで、水質装置の検出器５２ａ，５２ｂのうち、一方の検出器５２ａは、レーザ光応用などによる新形の小試料水量仕様のものであり、他方の検出器５２ｂは、これまでとおりの試料水量を要するもの（比較上、大試料水量仕様と呼ぶ）とする。また、検水供給配管１１ａ,１１ｂは、いずれもこれまで通りの水量（比較上、大水量と呼ぶ）を供給可能な口径のものを使用している。
【００３０】
ここで、この実施の形態では、検水供給配管１１ａからから小試料水量仕様の検出器５２ａに供給される試料水の一部を分流し、排出側に流すバイパス手段を設けたことを特徴としている。
【００３１】
大試料水量仕様の検出器５２ｂの流量調整弁４２ｂにはこれまで通りの二方弁を用いるが、小試料水量仕様の検出器５２ａの流量調整弁４４ａには三方弁を用いる。この三方弁４４ａの第１の弁口４４ａ１及び第２の弁口４４ａ２を、検水供給配管１１ａと検出器５２ａの入口との間に連結している。
【００３２】
また、これら検出器５２ａ，５２ｂの検出器の出口側には排出弁６４ａ，６２ｂを有する排出管が設けられる。これらについても、大試料水量仕様の検出器５２ｂ側の排出弁６２ｂにはこれまで通りの二方弁を用いる。これに対し、小試料水量仕様の検出器５２ａ側の排出弁６４ａには三方弁を用い、その第１の弁口６４ａ１及び第２の弁口６４ａ２を、この検出器５２ａの出口側排出管に設けている。
【００３３】
そして、これら入口側の三方弁４４ａの第３の弁口４４ａ３と出口側の三方弁６４ｂの第３の弁口６４ａ３とを、配管７により、出口側三方弁６４aの方向へ下げ勾配となるように連結し、図示しない排水槽に通じる前述したバイパス経路を形成する。すなわち、三方弁４４ａ，６４ａの第３の弁口４４ａ３，６４ａ３を、配管７により、弁口６４ａ３に向って降り勾配で連結してバイパス経路とすることにより、前述したバイパス手段が構成される。そして、検水供給配管１１ａから供給される試料水の一部を配管７によるバイパス経路により排出側の三方弁６４ａを通して排出させている。
【００３４】
なお、脱気相３における越流堰３１からのオーバーフロー分（気相を含む脱気されない分）は、排水弁２ｅを介して、水質装置の排出弁６４ａ、６２ｂ等からの排出先として共有された、図示しない排水槽等へ回収される。また、各検出器５２ａ、５２ｂの検出値は、測定者等に判読しやすい高さに取付けられた水質装置の表示部５３ａ、５３ｂに、指針の振れ又は数値にて外部表示される。
【００３５】
また、水質装置の検出器として２つの検出器５２ａ，５２ｂの２台を例示したが、実際には水質項目の数だけ台数が必要になる。
【００３６】
上記構成において、脱気相３で脱泡された試料水は、供給調整弁２ａ，２ｂの開操作により、検水供給配管１１ａ，１１ｂ内を自然流下し、対応する流量調整弁４４ａ，４２ｂの開操作により、水質装置の検出器５２ａ，５２ｂへ供給され、水質装置の排出弁６４ａ，６２ｂから図示しない排水槽へ回収される。自然流下の源は、脱気槽３の水位（一般には、越流堰３１の上端）と水質装置検出器５２ａ，５２ｂの排出高さとの差Ｈであり、供給調整弁２ａ，２ｂと流量調整弁４４ａ，４２ｂの開閉量により、供給量を調整する。
【００３７】
ここで、一方の検出器５２ａは、設備老朽化に伴う更新又は増設のため、前述のように、新規に設置された小試料水量仕様の水質装置検出器であり、多くの試料水量を流すことができない。そこで、入口側流量調整弁４４aにより検出器５２ａに流れ込む試料水量を適切な小試料水量に調整する。また、入口側流量調整弁（三方弁）４４ａの第３の弁口４４ａ３と出口側排出弁（三方弁）６４ａの第３の弁口６４ａ３とを配管７にて連通してバイパス経路を構成しているため、入口側流量調整弁４４ａ又は出口側排出弁６４ａの開度等を調整することにより、検出器５２ａへ流れ込む試料水以外はこのバイパス経路経由で出口側排出弁６４ａから排水される。
【００３８】
すなわち、小試料水量仕様の検出器５２ａに対し、試料水量を適正な少量に制御すると共に、検水供給配管１１ａから供給される試料水の多くを、入口側流量調整弁４４ａから配管７を介してバイパスさせ、出口側排出弁６４ａから排水する。
【００３９】
このように、検出器５２ａへの適正な少量の試料水量の流れ込みを確保できると共に、検水供給配管１１ａにより供給された多くの試料水を出口側排出弁６４ａへバイパスして排水できるので、検出器５２ａが小試料水量仕様であっても、試料水が検出器５２ａの前方に滞留することはない。すなわち、検水供給配管１１ａには、これまでと同等の関係であるため、検出器５２ａに流れる試料水量が小水量であると、この検出器５２ａの前方に大量の試料水が滞留することが考えられるが、バイパス分を含め、これまでと同等以上の試料水が流れるため、滞留が生じることはなく、滞留に基く試料水の検出遅れを防止できる。また、充分な流量・流速を確保できるので、試料水に混入している気相のトラップを低減防止できる。
【００４０】
水質装置の検出器５２ａは、小試料水量仕様であるため形状も小形であり、脱気槽３に対する検出器５２ａの入口高さを、大使用水量仕様の入口高さより低く設置できる。図２は、この位置関係を表している。例えば、設備老朽化に伴う更新のため、新たな水質装置の検出器５２ａを設置する場合、従来型と同じ位置関係に設置すれば、前述のように高低差Ｈの高さとなる。しかし、小試料水量仕様の新形の水質装置の検出器５２ａは小形であり、入口側流量調整弁４４ａ及び出口側排出弁６４ａを、既設設備の取付け廻りのスペースに許容される最下限の高さまで下げることにより、脱気槽３に対する検出器５２ａの入口高さを、図２で示すようにでは、高さｈ分だけ下げて取付けることが可能となる。
【００４１】
なお、水質装置の表示部５３aの取付け高さは変えずに、測定者等に判読しやすい高さのままとする。検出器５２ａとの変位長さは両者間を接続している電気ケーブル（図中の破線部分）等の余長内で吸収する。
【００４２】
このように、水質装置の検出器５２a及び弁類を、取付け廻りのスペースに許容される最下限の高さ（Ｈ＋ｈ）まで下げると、脱気槽３の上面水位との水頭差が大きくなり、試料水の自然流下作用が強まる。試料水の自然流下作用が強まると、試料水が検出器５２ａの前方に滞留し難くなると共に、出口側排出弁６４ａへのバイパス量を高めて、排水されやすくできる。これらの結果、試料水の検出遅れ及び混入している気相のトラップを一層、低減・防止できる。
【００４３】
次に、図３で示す実施の形態を説明する。この実施の形態も、脱気槽３から試料水が供給される水質装置の検出器は、小試料水量仕様の検出器５２ａ及び大試料水量仕様の検出器５２ｂであり、個別に設けた検水供給配管１１ａ，１１ｂにより自然流下で試料水が供給される。
【００４４】
この実施の形態も、小試料水量仕様の検出器５２ａに検水供給配管１１ａから供給される試料水の一部を分流し、排出側に流すバイパス手段を設けているが、バイパス手段として、後述する排出用配管７３に設けられたエジェクタ８の負圧を利用したことを特徴としている。
【００４５】
ここで、大試料水量仕様の検出器５２ｂに対しては入口側の流量調整弁及び出口側の排出弁として、これまでと同様に二方弁４２ｂ、６２ｂを用いている。これに対し、小試料水量仕様の検出器５２ａに対しては、入口側の流量調整弁に三方弁４４ａを、出口側の排出弁に二方弁６２ａを用いている。また、脱気槽３において気相（泡など）と共に越流堰をオーバーフローした試料水を図示しない排水槽に排出するために、脱気槽排水弁２ｅを介して上述した排出用配管７３が設けられるが、この排出用配管７３の途中に、エジェクタ８を取付ける。
【００４６】
小試料水量仕様の水質装置検出器５２ａの入口側に設けた三方弁４４ａの第１の弁口４４ａ１、第２の弁口４４ａ２は、検水供給配管１１ａと検出器５２ａの入口との間に連結する。また、この三方弁４４ａの第３の弁口４４ａ３は、前記エジェクタ８の負圧口に配管７５により連結してバイパス経路を形成している。すなわち、三方弁４４ａの第３の弁口４４ａ３を、配管７５により、エジェクタ８の負圧口に連結してバイパス経路とすることにより、前述したバイパス手段が構成される。そして、検水供給配管１１ａから供給される試料水の一部を配管７５によるバイパス経路により排出用配管７３に流している。
【００４７】
上記構成において、脱気相３に検査対象水を供給する検水ポンプ１の吐出容量及び流速等は、配管長に見合った損失増大と配管内径汚れの影響を考慮して、大きめに選択されている。このため、脱気槽３内にて越流堰３１をオーバーフローして排出用配管１３に流れる試料水も多くなる。この多量に排水される試料水に対応して、排水用配管７３の途中にエジェクタ８を取付け、満水にて流速を高めることにより、その負圧口には比較的高い負圧が得られる。このため、そのエジェクタ８の負圧口へ、流量調整用の三方弁４４ａの第３の弁口４４ａ３を配管７５で連通させることにより、負圧によるバイパス経路が形成される。
【００４８】
このように、エジェクタ８の負圧口へ、入口側流量調整用三方弁４４ａの第３の弁口４４ａ３を配管７５で連通させてバイパス経路を形成したので、水質装置検出器５２ａへの試料水を小試料水量としても、この小試料水量仕様の水質装置検出器５２ａの前方に試料水が滞留することはない。すなわち、配管７５によるバイパス経路で、試料水を強制的に図示しない排水槽等へバイパスし、排水できる。このため、試料水の検出遅れ及び混入している気相のトラップを低減・防止できる。
【００４９】
次に、図４で示す実施の形態を説明する。この実施の形態も、脱気槽３から試料水が供給される水質装置の検出器は、小試料水量仕様の検出器５２ａ及び大試料水量仕様の検出器５２ｂであり、個別に設けた検水供給配管１１ａ，１１ｂにより自然流下で試料水が供給される。
【００５０】
この実施の形態では、検水供給配管１１ａから小試料水量仕様の検出器５２ａに供給される試料水の一部を分流して、大試料水量仕様の検出器５２ｂに流すバイパス手段を設けたことを特徴としている。
【００５１】
そのために、これら両検出器５２ａ，５２ｂに対する入口側流量調整弁には、それぞれ三方弁４４ａ，４４ｂを用いる。また、これら検出器５２ａ，５２ｂの出口側排出弁には、それぞれ二方弁６２ａ，６２ｂを用いる。
【００５２】
前記三方弁４４ａの第１の弁口４４ａ１、第２の弁口４４ａ２は、小試料水量仕様の検出器５２ａの入口と対応する検水供給配管１１ａとの間に連結する。また、三方弁４４ｂの第１の弁口４４ｂ１、第２の弁口４４ｂ２は大試料水量仕様の検出器５２ｂの入口と対応する検水供給配管１１ｂとの間に連結する。さらに、これら三方弁４４ａ，４４ｂの第３の弁口４４ａ３，４４ｂ３を配管７１により相互に連結し、かつ、三方弁４４ｂへ向かって下げ勾配となるように連結し、三方弁４４ｂから大試料水量仕様の検出器５２ｂに通じるバイパス経路を形成する。すなわち、三方弁４４ａ，４４ｂの第３の弁口４４ａ３，４４ｂ３を、配管７１により、弁口４４ｂ３に向って降り勾配で連結してバイパス経路とすることにより、前述したバイパス手段が構成される。そして、この配管７１によるバイパス経路により、小試料水量仕様の検出器５２ａへ供給される試料水の一部を、大試料水量仕様の検出器５２ｂへ流している。
【００５３】
このように構成すると、小試料水量仕様の水質装置検出器５２aの入口側流量調整弁４４ａ又は大試料水量仕様の水質装置検出器５２ｂの入口側流量調整弁４４ｂの開度等を調整することにより、小試料水量仕様の水質装置検出器４４ａへ流れ込む試料水の一部を分流して適正な少量に制御できる。また、分流された試料水は、配管７１及び三方弁４４ｂを介して大試料水量仕様の水質装置検出器５２ｂに流れ、その流量を高めることができる。
【００５４】
これらの結果、試料水が小試料水量仕様の水質装置検出器５２ａの試料水量を少量としても、試料水がその前方に滞留することはない。また、小試料水量仕様の水質装置検出器５２aの入口側流量調整弁４４aから配管７１を介してバイパスされた試料水は、大試料水量仕様の水質装置検出器５２ｂに供給使用されるため、検水供給配管１１ａではこれまでと同等の流量を維持できる。したがって、試料水の滞留による検出遅れが生じたりすることはなく、混入している気相のトラップを低減・防止できる。
【００５５】
次に、図５で示す実施の形態を説明する。この実施の形態でも、脱気槽３から試料水が供給される水質装置の検出器は、前記実施の形態と同じく、小試料水量仕様の検出器５２ａ及び大試料水量仕様の検出器５２ｂであり、個別に設けた検水供給配管１１ａ，１１ｂにより自然流下で試料水が供給される。
【００５６】
この実施の形態では、検水供給配管１１ａから小試料水量仕様の検出器５２ａに供給される試料水の一部を分流して、大試料水量仕様の検出器５２ｂに流すと共に、排出側にも流すバイパス手段を設けたことを特徴とする。
【００５７】
ここで、小試料水量仕様の水質装置検出器５２ａに対する入口側流量調整弁には四方弁４６ａを用い、大試料水量仕様の水質装置検出器５２ｂに対する入口側流量調整弁には三方弁４４ｂを用いる。また、検出器５２ａの出口側排出弁には三方弁６４ａを用い、検出器５２ｂの出口側排出弁には二方弁６２ｂを用いる。
【００５８】
前記四方弁４６ａの第１の弁口４６ａ１、第２の弁口４６ａ２は、小試料水量仕様の検出器５２ａの入口と、検水供給配管１１ａとの間に連結する。また、この検出器５２ａの出口側の排出用配管１２ａには、三方弁６４ａの第１の弁口６４ａ１、第２の弁口６４ａ２を連結する。
【００５９】
前記大試料水量仕様の検出器５２ａの入口側には、対応する検水供給配管１１ｂとの間に三方弁４４ｂの第１の弁口４４ｂ１、第２の弁口４４ｂ２を連結する。また、その第３の弁口４４ｂ３は、前記四方弁４６ｂの第３の弁口４６ｂ３と配管７２で連結して第１のバイパス経路を形成する。さらに、この四方弁４６ｂの第４の弁口４６ｂ４は、配管７により排出側の三方弁６４ａの前記第３の弁口６４ａ３に向って下げ勾配で連結して第２のバイパス経路を形成する。すなわち、四方弁４６ｂの第３の弁口４６ｂ３を、大試料水量仕様側の三方弁４４ｂの第３の弁口４４ｂ３に配管７２で連結して第１のバイパス経路とし、かつ、この四方弁４６ｂの第４の弁口４６ｂ４を、配管７により排出側の三方弁６４ａの前記第３の弁口６４ａ３に向って下げ勾配で連結して第２のバイパス経路としたことにより、上述のバイパス手段が構成される。
【００６０】
そして、小試料水量仕様の検出器５２ａへ供給される試料水の一部を、配管７２による第１のバイパス経路により大試料水量仕様側の三方弁４４ｂを通して大試料水量仕様の検出器５２ｂへ流すと共に、配管７による第２のバイパス経路により排出側の三方弁６４ｂを通して排出側にも流している。
【００６１】
上記構成において、小試料水量仕様の水質装置検出器５２ａの入口側に設けられた四方弁４６ａの２つの弁口４６ａ３，４６ａ４は、大試料水量仕様の水質装置検出器５２ｂの入口側に設けられた三方弁４２ｂの第３の弁口４２ｂ３と、小試料水量仕様の水質装置検出器５２ａの出口側に設けられた三方弁６４ａの第３の弁口６４ａ３とに、それぞれ配管７２，７で連通しているため、小試料水量仕様の水質装置検出器５２aの前方に到達する試料水は、まず、配管７２による第１のバイパス経路を通って大試料水量仕様の水質装置検出器５２ｂにバイパスされ、更に、配管７による第２のバイパス経路及び小試料水量仕様の水質装置検出器５２aの出口側の三方弁６４ａを通って排出側にもバイパスされる。
【００６２】
このように、大試料水量仕様の水質装置検出器５２ｂでバイパスされ、更に、小試料水量仕様の水質装置検出器５２ａの出口側排出弁６４ａでバイパスされるため、脱気槽３から小試料水量仕様の水質装置検出器５２ａに到るまでの配管等が長くても、試料水の滞留を確実に防ぐことができ、検出遅れ及び混入している気相のトラップを低減・防止できる。
【００６３】
次に、図６で示す実施の形態を説明する。この実施の形態も、脱気槽３から試料水が供給される水質装置の検出器は、小試料水量仕様の検出器５２ａ及び大試料水量仕様の検出器５２ｂであり、個別に設けた検水供給配管１１ａ，１１ｂにより自然流下で試料水が供給される。
【００６４】
また、この実施の形態も、検水供給配管１１ａから小試料水量仕様の検出器５２ａに供給される試料水の一部を分流して、大試料水量仕様の検出器５２ｂに流すと共に、排出側にも流すバイパス手段を設けているが、バイパス手段として、排出用配管７３に設けられたエジェクタ８の負圧を利用したことを特徴としている。
【００６５】
すなわち、図３と同様に、脱気槽３において気相（泡など）と共に越流堰をオーバーフローした試料水を図示しない排水槽に排出させる排出用配管７３の途中に、エジェクタ８を取付けている。
【００６６】
また、図５と同様に、大試料水量仕様の検出器５２ｂの入口側の流量調整弁に三方弁４４ｂを用い、小試料水量仕様の検出器５２ａの入口側の流量調整弁に四方弁４６ａを用い、この四方弁の第３の弁口４６ａ３と前記三方弁４４ｂの第３の弁口４４ｂ３とを配管７２で相互に連結して第１のバイパス経路を形成する。図５と異なるのは、この四方弁４６ａの第４の弁口４６ａ４を、前記エジェクタ８の負圧口に配管７５で連結して第２のバイパス経路を形成したことである。すなわち、すなわち、四方弁４６ｂの第３の弁口４６ｂ３を、大試料水量仕様側の三方弁４４ｂの第３の弁口４４ｂ３に配管７２で連結して第１のバイパス経路とし、かつ、この四方弁４６ｂの第４の弁口４６ｂ４を、配管７５によりエジェクタ８の負圧口に連結して第２のバイパス経路としたことにより、上述のバイパス手段が構成される。
【００６７】
そして、検水供給配管から１１ａから小試料水量仕様の検出器５２ａに供給される試料水の一部を、配管７２による第１のバイパス経路により三方弁４４ｂを通して大試料水量仕様の検出器５２ｂへ流すと共に、配管７５による第２のバイパス経路により排出用配管７３に流している。
【００６８】
このように構成したので、小試料水量仕様の水質装置検出器５２ａの前方に到達する試料水は、まず、大試料水量仕様の水質装置検出器５２ｂでバイパスされ、更に、小試料水量仕様の水質装置検出器５２ａの入口側流量調整弁４６ａからエジェクタ８の負圧で強制吸引され、排出用配管７３へバイパスされる。
【００６９】
このため、脱気槽３から小試料水量仕様の水質装置検出器５２ａに到るまでの配管等が長くても、試料水の滞留による検出遅れを防ぎ、また、混入している気相のトラップを低減・防止できる。
【００７０】
このように、上記各実施の形態によれば、水質レベルの適正・厳格化等に呼応して製品化された、小形・軽量で小試料水量使用の新形水質装置の検出器・表示器を、既設品の取付けスペースに取付け、既設配管を継続使用して、脱気槽から検出器へ試料水を、経済的・合理的に供給できる。また、小試料水量仕様の水質装置検出器へ流れ込む試料水を適正な少量に制御できると共に、脱気槽からの試料水の適正な流れを維持でき、試料水が小試料水量仕様の水質装置検出器の前方に滞留することなく、又、混入している気相のトラップを低減・防止し、水質装置の検出信頼性を安定・維持できる。
【図面の簡単な説明】
【００７１】
【図１】本発明による検水供給装置の一実施の形態を示す構成図である。
【図２】同上一実施の形態の一部を改良した構成を示す部分図である。
【図３】本発明のバイパス手段として、試料水の一部を排出用配管の負圧を用いて排出側に流す実施の形態を示す図である。
【図４】本発明のバイパス手段として、試料水の一部を大試料水量仕様の検出器に流す実施の形態を示す図である。
【図５】本発明のバイパス手段として、試料水の一部を大試料水量仕様の検出器に流すと共に排出側にも流す実施の形態を示す図である。
【図６】本発明のバイパス手段として、試料水の一部を大試料水量仕様の検出器に流すと共に排出側にも流す他の実施の形態を示す図である。
【符号の説明】
【００７２】
１１ａ，１１ｂ    検水供給配管
３    脱気槽
４４ａ    入口側の三方弁
４４ａ１    第１の弁口
４４ａ２    第２の弁口
４４ａ３    第３の弁口
５２ａ    小試料水仕様の水質装置の検出器
５２ｂ    大試料水仕様の水質装置の検出器
６４ｂ    出口側の三方弁
６４ｂ１    第１の弁口
６４ｂ２    第２の弁口
６４ｂ３    第３の弁口
７    バイパス経路を形成する配管    
【図１】
2006267030.tif 000003
【図２】
2006267030.tif 000004
【図３】
2006267030.tif 000005
【図４】
2006267030.tif 000006
【図５】
2006267030.tif 000007
【図６】
2006267030.tif 000008